(57)【特許請求の範囲】
【請求項１】
リールシートのボディが貫通し、上記ボディの長手方向に移動可能で、下側でリールの取付脚を上記ボディに固定するフード部と、
上記ボディを中心として回転可能に上記フード部に連結され、内周面で上記ボディの外周面とネジ結合するナット部と、を含み、
上記フード部は上記ナット部に面する基端と上記基端の反対側に先端を有し、
上記フード部を側面から見るとき、上記フード部の上側における上記基端から上記先端までの長さは上記フード部の下側における上記基端から上記先端までの長さより長く、
上記フード部を側面から見るとき、上記フード部の上側の輪郭線は上方に凸な曲線を含み、
上記フード部は上記リールシートのボディが貫通する第１ボアと第２ボアを備え、
上記第１ボアは上記基端から上記先端側に向けて延び、
上記第２ボアは上記第１ボアの直径より大きい直径を有し上記第１ボアから上記先端に延びて、
上記フード部を正面から見るとき、上記第１ボアと上記第２ボアとの間に段差が形成される、
リールシート用可動フード。
【請求項２】
上記凸な曲線の頂点は上記上側における上記基端から上記先端までの長さに対して上記基端から８０％以下の距離に位置する、
請求項１に記載のリールシート用可動フード。
【請求項３】
上記フード部を側面から見るとき、上記フード部の下側の輪郭線は上方に凹な曲線を含む、
請求項１に記載のリールシート用可動フード。
【請求項４】
上記フード部を側面から見るとき、上記先端の上側及び下側の間の輪郭線は上記基端側に凹な曲線を含む、
請求項１に記載のリールシート用可動フード。
【請求項５】
上記先端から上記段差までの深さは上記上側における上記基端から上記先端までの長さの３０％〜７０％の範囲である、
請求項１に記載のリールシート用可動フード。
【請求項６】
少なくとも一部が上記リールシートのボディの外周面と上記フード部の内周面との間に嵌められる補助フードをさらに含み、
上記補助フードは上記第２ボアと上記リールシートのボディの間に嵌められる挿入部を有する、
請求項１に記載のリールシート用可動フード。
【請求項７】
上記補助フードは側方に開口または凹部を有する、
請求項６に記載のリールシート用可動フード。
【請求項８】
上記上側における上記基端から上記先端までの長さは４０ｍｍ以下である、
請求項１に記載のリールシート用可動フード。
【請求項９】
リールの一対の取付脚が安着する安着部を下側に備え、一端部の外周面に雄ネジ部を備え、長手方向に釣竿の一部が貫通するボディと、
上記ボディの長手方向における両端部のうちの１つの端部に位置し上記一対の取付脚のうちの１つを上記ボディの安着部に固定する請求項１〜４および請求項５〜８のうちのいずれか１項に記載のリールシート用可動フードと、
上記リールシート用可動フードと対向して上記ボディに位置し上記一対の取付脚のうちのもう１つを上記ボディの安着部に固定する固定フードを含み、
上記リールシート用可動フードのナット部はその内周面で上記雄ネジとネジ結合する、リールシート。
【請求項１０】
請求項１〜４および請求項５〜８のうちいずれか１項に記載のリールシート用可動フードを備える釣竿。
【請求項１１】
請求項９に記載のリールシートを備える釣竿。
【発明の詳細な説明】
【技術分野】
【０００１】
本発明はリールの取付脚をリールシートのボディに固定するための可動フードに関するものである。また、本発明はこのような可動フードを備えるリールシート及び釣竿に関するものである。
【背景技術】
【０００２】
スピニングリール、ベイトキャスティングリールのような釣竿用リールはリールシートによって釣竿に装着される。リールシートの一例として、釣竿の外面に取り付けられる平板型リールシートまたは釣竿が貫通する円筒状リールシートがある。【０００３】
円筒状のリールシートは、例えば、図１及び図２に示すように、リール３０の取付脚３１をリールシート１０のボディ１１に固定するための固定フード１２と可動フード１３を有し、可動フード１３はリールシートのボディ１１に沿って移動可能なリング形状を有する。リールの取付脚３１のうちの１つを固定フード１２によりボディ１１に固定し、可動フード１３によりリールの取付脚３１のうちのもう１つをボディ１１に固定し、リール３０はリールシート１０に装着される。【０００４】
リール３０が装着された釣竿２０を握るとき、使用者は指の間にリールの取付脚３１を位置させてリールシート１０を包み込み、使用者の手の平及び指は固定フード１２や可動フード１３の外面とボディ１１の外面に触れるようになる。リール３０をボディ１１に固定するとき、ボディ１１と可動フード１３の間には間隙（例えば、図１において符号Ｇで指示した部分）があるか、ボディ１１の外面と可動フード１３の外面との間の高低差による段差（例えば、図２で符号Ｓで指示した部分）が存在するので、使用者は自身の手の平や指に突起物を握っているような異物感及び違和感を覚える可能性があり、また安定したグリップ感で釣竿２０を握ることができない。異物感や違和感を減らしてグリップ感を向上させたリールシートが当該分野で求められている。
【先行技術文献】
【特許文献】
【０００５】
【特許文献１】特開２００９−２６８４１６号公報
【特許文献２】特許第３０５３７６７号公報
【発明の概要】
【発明が解決しようとする課題】
【０００６】
特開２００９−２６８４１６号公報はリールシートのボディと可動フードとの間の段差を減少させたリールシートを開示する。この特許文献によれば、可動フードとボディとの間の段差を縮めるために、可動フードは櫛歯状の部分を有し、ボディは可動フードの櫛歯状の部分と噛み合う噛合部を有する。しかし、可動フードの櫛歯状の部分の強度が弱いのでボディの噛合部から隙間が開いて段差を誘発することがある。【０００７】
また、特許第３０５３７６７号公報は可動フードに凹部を設けたリールシートを開示する。しかし、凹部を有する可動フードは可動フードが釣竿の先端側に置かれるリールシートにのみ適用することができ、可動フードが釣竿の後端側に置かれる類型のリールシートに適用した場合、可動フードの凹部が手の平の下に位置してグリップ感を低下させるようになる。【０００８】
釣竿を激しく振ったり釣竿を振動させる動作を考慮する場合、使用者の手の平に加えられる違和感を減らすよりは、使用者がリールシートを安定的に握ることができるように、リールシートは良好なグリップ感を有しなければならない。しかし、従来のリールシート及び可動フードはグリップ感の向上と違和感の低下を全て満たすことができない。また、リールシートには専用の可動フードのみが採用されており、リールシートに対する使用者の選択が制約的である。このように従来のリールシート及び可動フードは使用者に幅広い選択を提供することができない。【０００９】
本発明はこのような従来技術の問題点を解決するために創案されたものであって、リールシートの類型に関係無く適用され使用者の手に対する違和感を減らすと共にグリップ感を向上させたリールシート用可動フードを提供することを目的とする。【００１０】
また、本発明は使用者のリールシートに対する選択を多様にする可動フードを提供することを目的とする。【００１１】
また、本発明は前述した可動フードを備えてグリップ感が良好なリールシートとこのようなリールシートを備える釣竿を提供することを目的とする。
【課題を解決するための手段】
【００１２】
本発明の一側面によれば、釣竿にリールを装着するためのリールシートに用いられる可動フードが提供される。例示的実施例において、リールシート用可動フードはリールシートのボディが貫通し、上記ボディの長手方向に移動可能で、下側でリールの取付脚を上記ボディに固定するフード部と、上記ボディを中心として回転可能に上記フード部に連結され、内周面で上記ボディの外周面とネジ結合するナット部を含む。上記フード部は上記ナット部に面する基端と上記基端の反対側に先端を有する。上記フード部を側面から見るとき、上記フード部の上側における上記基端から上記先端までの長さは上記フード部の下側における上記基端から上記先端までの長さより長い。また、上記フード部を側面から見るとき、上記フード部の上側の輪郭線は上方に凸な曲線を含む。【００１３】
実施例において、上記凸な曲線の頂点は上記上側における上記基端から上記先端までの長さに対して上記基端から８０％以下の距離に位置する。【００１４】
実施例において、上記フード部を側面から見るとき、上記フード部の下側の輪郭線は上方に凹な曲線を含む。【００１５】
実施例において、上記フード部を側面から見るとき、上記先端の上側及び下側の間の輪郭線は上記基端側に凹な曲線を含む。【００１６】
実施例において、上記フード部は上記リールシートのボディが貫通する第１ボアと第２ボアを備え、上記第１ボアは上記基端から上記先端に延び、上記第２ボアは上記第１ボアの直径より大きい直径を有し上記第１ボアから上記先端に延び、上記フード部を正面から見るとき、上記第１ボアと上記第２ボアの間に段差が形成される。【００１７】
実施例において、上記先端から上記段差までの深さは上記上側における上記基端から上記先端までの長さの３０％〜７０％の範囲である。【００１８】
実施例において、上記リールシート用可動フードは、少なくとも一部が上記リールシートのボディの外周面と上記フード部の内周面との間に嵌められる補助フードをさらに含み、上記補助フードは上記第２ボアと上記リールシートのボディとの間に嵌められる挿入部を有する。また、実施例において、上記補助フードは側方に開口または凹部を有する。【００１９】
実施例において、上記上側における上記基端から上記先端までの長さは４０ｍｍ以下である。【００２０】
本発明の他の側面はリールシートに関連する。例示的実施例において、リールシートはリールの一対の取付脚が安着する安着部を下側に備え、一端部の外周面に雄ネジ部を備え、長手方向に釣竿の一部が貫通するボディと、上記ボディの長手方向における両端部のうちの１つの端部に位置し上記一対の取付脚のうちの１つを上記ボディの安着部に固定する前述した実施例による可動フードと、上記可動フードと対向して上記ボディに位置し上記一対の取付脚のうちのもう１つを上記ボディの安着部に固定する固定フードを含み、上記可動フードのナット部はその内周面で上記雄ネジとネジ結合する。【００２１】
本発明のさらに他の側面は釣竿に関連し、上記釣竿は前述した実施例によるリールシート用可動フードまたは前述したリールシートを備える。
【発明の効果】
【００２２】
実施例による可動フードによれば、フード部のリールの取付脚を固定する下側の長さよりもその反対側の上側の長さが長く、上側の輪郭線は上方に凸な曲線を有する。従って、可動フードは向上したグリップ感でリールシートの後端側または先端側すべてに適用することがでる。実施例による可動フードがリールシートの後端側に適用される場合には可動フードと使用者の手の平の間の間隙がなくなり、実施例による可動フードがリールシートの先端側に適用される場合には使用者の親指は強くフード部の上側に接触することができる。また、フード部の先端側及び下側輪郭線は凹な曲線からなるので、使用者の指がフード部に接触するとき指が適正の位置に誘導される。このように、実施例によるリールシートにより違和感を減らすと共にグリップ感が向上したリールシートが達成される。また、フード部内部に形成された段差とフード部とリールシートのボディに嵌められる補助フードにより、リールシートのグリップ感を維持しながらも使用者のリールシートに対する選択の幅を広げることができる。
【図面の簡単な説明】
【００２３】
【図１】スピニングリールをリールシートに固定する従来の可動フードを示す側面図である。
【図２】スピニングリールをリールシートに固定する従来の他の可動フードを示す側面図である。
【図３】本発明の一実施例による可動フードがリールシートの後端側に結合されており、可動フードによってリールがリールシートに固定されたところを示す側面図である。
【図４】図３に示す可動フードの側面図である。
【図５】図３に示す可動フードの正面図である。
【図６】図５のＶＩ−ＶＩ線に沿った断面図である。
【図７】図５のＶＩＩ−ＶＩＩ線に沿った断面図である。
【図８】本発明の一実施例による可動フードがリールシートの前端側に装着されており、可動フードによってリールがリールシートに固定されたところを示す側面図である。
【図９】図３に示すリールシートの使用例を示す図である。
【図１０】図８に示すリールシートの使用例を示す図である。
【図１１】補助フードが結合した本発明の一実施例による可動フードを示す側面図である。
【図１２】可動フードと補助フードを示す部分縦断面図である。
【図１３】他の例の補助フードが結合した本発明の一実施例による可動フードを示す側面図である。
【発明を実施するための形態】
【００２４】
図３〜図１３を参照して、本発明によるリールシート用可動フードの実施例とこれを備えるリールシート及び釣竿の実施例を説明する。図３〜図１３において、同一の参照番号は同一または対応する要素または部品を指示する。
【００２５】
本明細書で用いられた「前方」、「前」などの方向指示語は釣竿の先端側に向かう方向（例えば、図３で矢印（Ｔ）で指示する方向）を意味し、「後方」、「後」などの方向指示語は釣竿の後端側に向かう方向（例えば、図３で矢印（Ｂ）で指示する方向）を意味する。また、本明細書で用いられた「下方」、「下」などの方向指示語はリールシートに対してリールが装着される方向を基準とし、「上方」、「上」などの方向指示語はその反対方向を意味する。
【００２６】
また、本明細書に用いられた「輪郭線」という用語は、可動フードの正面図または側面図において可動フードを構成する要素または部品の最外側に見える線をいう。例えば、「上側の輪郭線」または「下側の輪郭線」は可動フードを側面から見るとき該当要素または部品の最も上側または最も下側に位置する線をいう。
【００２７】
図３に示す本発明の一実施例によるリールシート１００Ｕは、スピニングリール（以下、簡単に「リール」という）３００を釣竿２００に装着するのに用いられる。実施例によるリールシートに装着できるリールは図３に示すスピニングリールに限定されない。
【００２８】
リール３００は、釣り糸が巻かれるスプール、スプールを回転させるためのハンドルなどを備え、リールシート１００Ｕへの取付のための取付脚３１０を有する。取付脚３１０は略Ｔ字形状を有し、その先端に略直線状に延びる前方取付脚３１１と後方取付脚３１２を備える。前方取付脚３１１と後方取付脚３１２はその先端または後端へ行くほど横断面積が縮小するように形成されており、従って、前方取付脚３１１はその先端部に先端に傾いた斜面３１３を有し、後方取付脚３１２はその後端部に後端に傾いた斜面３１４を有する。前方取付脚３１１と後方取付脚３１２は後述するリールシートの前方及び後方挿入空洞にその先端部及び後端部でそれぞれ挿入される。
【００２９】
リールシート１００Ｕは、ボディ１１０と、固定フード１２０と、可動フード１３０を備える。可動フード１３０はボディ１１０の長手方向における両端部のうちの１つの端部に位置し、ボディ１１０の長手方向に移動可能である。固定フード１２０は可動フード１３０に対向してボディ１１０に位置する。可動フード１３０はリール３００の一対の取付脚３１０のうちの１つをボディ１１０に固定し、固定フード１２０はリール３００の一対の取付脚３１０のうちのもう１つをボディ１１０に固定する。
【００３０】
図３に示すリールシート１００Ｕは可動フード１３０がボディ１１０の後端側（釣竿の後端側）に位置するいわゆる「アップロック（up  lock）」タイプのリールシートである。アップロックタイプのリールシートでは、固定フード１２０によりリール３００の前方取付脚３１１が固定され可動フード１３０にリール３００の後方取付脚３１２が固定される。
【００３１】
リールシート１００Ｕのボディ１１０、固定フード１２０、可動フード１３０は樹脂材料または金属材料からなることができる。この実施例において、リールシート１００Ｕの可動フード１３０はその全体が樹脂材料からなるか、少なくともリールの取付脚３１０を固定する部分が樹脂材料からなる。
【００３２】
リールシート１００Ｕのボディ１１０は長手方向にボア１１１（図１２参照）が貫通して延びる略円筒形状を有する。ボディ１１０のボア１１１には釣竿２００のブランク２１０が嵌められて、ボディ１１０を貫通する。また、一例として、リールシート１００Ｕのボディ１１０は接着により釣竿２００に固定できる。
【００３３】
ボディ１１０はリール３００の取付脚３１０を安着させるための安着部１１２（図１２参照）を有する。この実施例で、上記安着部１１２はボディ１１０の下側に形成されており、安着部１１２にはリール３００の取付脚３１０が安着する。
【００３４】
ボディ１１０は一端部にその外周面に沿って形成された雄ネジ１１３を有する。図３に示した例で、雄ネジ１１３はボディ１１０の後端に形成されている。雄ネジ１１３は後述する可動フード１３０のナット部１３２に形成された雌ネジとネジ結合される。
【００３５】
また、ボディ１１０はその外周面に可動フード１３０のボディ１１０の長手方向における移動をガイドまたは案内するためのガイド溝１１４（図１２参照）を有する。ガイド溝１１４はボディ１１０の上側でボディ１１０の長手方向に沿って所定の長さに延びる。他の実施例において、ボディ１１０のガイド溝１１４はボディ１１０の上側でない部分においてボディ１１０の長手方向に沿って延びる。
【００３６】
この実施例において、ボディ１１０の後端にはグリップ部１４０が相補的に結合している。グリップ部１４０はボディ１１０のボア１１１と同軸を有する円筒形状を有し、その中央のボアには釣竿２００のブランク２１０が押し込まれる。
【００３７】
この実施例において、固定フード１２０はボディ１１０と一体になっている。固定フード１２０は安着部１１２を覆うように形成されたカバー部１２２を有し、カバー部１２２は後端へ行くほど下方への高さが大きくなる形状を取る。従って、固定フード１２０とボディ１１０の安着部１１２との間には、リール３００の取付脚３１０のうちの１つが挿入される前方挿入空洞１２１が限定される。前方挿入空洞１２１の横断面の形状は略円弧状であり、ボディ１１０の前方へ行くほどその上下の幅が縮小する。従って、固定フード１２０のカバー部１２２の内面は前方取付脚３１１の先端部の斜面３１３と接触する。他の実施例として、固定フード１２０は別個の部品で製造されてボディ１１０に取り付けられてもよい。
【００３８】
図４〜図７を参照して、リールシート１００Ｕに用いられる可動フード１３０を説明する。
【００３９】
可動フード１３０はリング状に形成されて、リールシート１００Ｕのボディ１１０が可動フード１３０に嵌められて可動フード１３０を貫通する。可動フード１３０は、ボディ１１０の長手方向に沿って直線に移動可能であるもののボディ１１０の周方向では移動しないフード部１３１と、フード部１３１にボディ１１０を中心として回転可能に連結され、フード部１３１をボディ１１０の長手方向に沿って押したり引いたりするためのナット部１３２を含む。ナット部１３２がフード部１３１をボディ１１０の長手方向に押し付ける力により、フード部１３１はその下側でリール３００の後方取付脚３１２をボディ１１０に圧迫してボディ１１０に固定する。
【００４０】
フード部１３１とナット部１３２は略リング状からなっており、その中にリールシート１００Ｕのボディ１１０が貫通して、ボディ１１０の中心軸（ＣＡ）と同軸からなるボア１３３を有する。ナット部１３２はその内周面に形成された雌ネジ１３４でボディ１１０の雄ネジ１１３とネジ結合して、ボディ１１０に沿ってネジ運動により前方または後方へ移動し、フード部１３１はナット部１３２の上記前方または後方の移動によって、固定フード１２０側に押されたり固定フード１２０から遠くなるように引っ張られる。
【００４１】
ナット部１３２はフード部１３１に面する端部の内周面に、フード部１３１との連結のための係止溝１３５を有する。係止溝１３５はナット部１３２の内周面の円周方向に形成されている。また、フード部１３１はナット部１３２に面する基端（ＢＥ）にナット部１３２の係止溝１３５に係止するフック状の係止突起１３６を有する。係止突起１３６はフード部１３１の基端（ＢＥ）にその円周方向に断続的にまたは連続して延びる。ナット部１３２の係止溝１３５にフード部１３１の係止突起１３６が係止し、ナット部１３２はフード部１３１にボディ１１０の中心軸（ＣＡ）を中心として回転可能に連結される。他の実施例において、フード部１３１が係止溝１３５を有してもよく、ナット部１３２が係止突起１３６を有してもよい。
【００４２】
ナット部１３２の雌ネジ１３４がボディ１１０の雄ネジ１１３とネジ結合するので、ナット部１３２をボディ１１０に対して一方向またはその逆方向に回転させれば、雄ネジ１１３と雌ネジ１３４の相互作用によりナット部１３２はネジ運動をして、回転しながらボディ１１０の長手方向に沿って移動できる。例えば、ナット部１３２をボディ１１０の前端（固定フード１２０）側に移動するためにナット部１３２を一方向に回転させると、ネジ結合したボディ１１０の雄ネジ１１３とナット部１３２の雌ネジ１３４によって、ナット部１３２はボディ１１０を中心に回転しながらボディ１１０の前端側に移動し、ナット部１３２の前端面がフード部１３１の基端（ＢＥ）に接触して、ナット部１３２がフード部１３１をボディ１１０の前端側に押すようになる。フード部１３１はナット部１３２の押す力により、リール３００の後方取付脚３１２をその下側内面でボディ１１０の安着部１１２に対し圧迫して、フード部１３１が後方取付脚３１２をボディ１１０に固定するようになる。また、ナット部１３２をボディ１１０の後端側に移動するためにナット部１３２を上記一方向の逆方向に回転させると、ナット部１３２はボディ１１０を中心に回転しながらボディ１１０の後端側に移動し、ナット部１３２の係止溝１３５が係止突起１３６を引っ掛けて、ナット部１３２がフード部１３１をボディ１１０の後端側に引っ張るようになる。
【００４３】
前述したフード部１３１の前後方向の移動において、フード部１３１はボディ１１０の長手方向に沿ってボディ１１０の中心軸（ＣＡ）に対して回転することなくボディ１１０の前端または後端側に直線に移動する。フード部１３１の直線移動をガイドするために、可動フード１３０は、図５及び図６を参照すると、フード部１３１の上端側内周面から突出しボディ１１０のガイド溝１１４に嵌められるガイド突起１３７を備える。他の実施例において、ガイド溝１１４はボディ１１０の上側でない部分に設けられてもよく、ガイド突起１３７はこのような部分に対応するフード部１３１の内周面から突出してもよい。
【００４４】
フード部１３１の下半部は前端へ行くほど下方にさらに突出して、後方取付脚３１２を覆うカバー部１３８を形成する。従って、カバー部１３８とボディ１１０の安着部１１２との間にリール３００の後方取付脚３１２が挿入される後方挿入空洞１３９が限定される。フード部１３１はカバー部１３８の内面で後方取付脚３１２の斜面３１４を安着部１１２に対して圧迫する。
【００４５】
フード部１３１はナット部１３２に面する基端（ＢＥ）と、基端（ＢＥ）の反対側に先端（ＴＥ）を有する。フード部１３１を側面から見るとき、フード部１３１の上側における基端（ＢＥ）から先端（ＴＥ１）までの長さ（Ｌ１）はフード部１３１の下側における基端（ＢＥ）から先端（ＴＥ２）までの長さ（Ｌ２）より長い。即ち、フード部１３１の上半部は下半部よりもその先端側にさらに突出して、フード部１３１はリールの後方取付脚３１２を固定する下側よりも長い上側を有するようになる。一例として、フード部１３１の上側における長さ（Ｌ１）は、２つの指を置くことができる程度の長さであって４０ｍｍ以下である。フード部１３１の上側の長さ（Ｌ１）が４０ｍｍを超えると、可動フード１３０を軽量化させるのが難しく、フード部１３１が厚さに比べて長さが過度に大きくなり強度が弱くなる。また、フード部１３１を側面から見るとき、フード部１３１の上側の輪郭線（ＣＬ１）は上方に凸な曲線を含む。即ち、側面から見るとき、フード部１３１の上側外面は上方に丸く凸な面を有する。上側の丸く凸なフード部１３１は、使用者がリールシート１００Ｕを握るとき、使用者の手の平の内に生じる凹み部分と接触するので、使用者の手の平と可動フード１３０の間の間隙を除去する。一方、可動フード１３０がボディ１１０の前端側（釣竿の前端側）に位置するいわゆる「ダウンロック（down  lock）」タイプのリールシート１００Ｄ（図８参照）では、フード部１３１の上側の凸な曲面は使用者の親指が押す隆起部分として作用して、使用者はフード部１３１の上側の凸な曲面に強い力を加え、握ることができるようになる。
【００４６】
フード部１３１を側面から見るとき、フード部１３１の上側の輪郭線（ＣＬ１）が有する凸な曲線の頂点（ＴＰ）はフード部１３１の上側における長さ（Ｌ１）に対して基端（ＢＥ）から８０％以下の距離に位置する。即ち、基端（ＢＥ）から頂点（ＴＰ）までの長さをＬ３とするとき、（Ｌ３／Ｌ１）≦０．８である。頂点（ＴＰ）が上記基端（ＢＥ）から８０％以下の距離に位置できない場合（即ち、頂点（ＴＰ）が上側の長さ（Ｌ１）に対して基端（ＢＥ）から８０％を超える距離に位置する場合）、フード部１３１の上側の輪郭線（ＣＬ１）が有する凸な曲線は頂点（ＴＰ）を基準に後側が前側に比べて緩やかになる。この場合、釣竿を握るとき、フード部１３１の凸の部分の位置が、手の平の内に生じる凹み部分に対応しないので、ホールド感を低下させる。また、頂点（ＴＰ）から先端（ＴＥ１）までの凸な曲線が急激な傾斜となり、ボディと１１０の間で段差形状になり、使用者は異物感及び違和感を覚え、安定したグリップ感で釣竿を握ることができない。
【００４７】
フード部１３１を側面から見るとき、フード部１３１の上側の先端（ＴＥ１）とフード部１３１の下側の先端（ＴＥ２）との間の輪郭線（ＣＬ３）は基端（ＢＥ）側に凹な曲線を含む。上記輪郭線（ＣＬ３）により示される凹な曲線は、フード部１３１の上側の先端（ＴＥ１）から下側の先端（ＴＥ２）へ行くほど緩やかに湾曲するか、急激に湾曲した後に緩やかに湾曲してもよい。
【００４８】
フード部１３１を側面から見るとき、フード部１３１の下側の輪郭線（ＣＬ２）（即ち、カバー部１３８の下側の輪郭線）は上方に凹な曲線を含む。従って、使用者はフード部１３１の下側（カバー部（１３８）の外面）を指で違和感のないように握ることができる。
【００４９】
一方、フード部１３１の上側及び下側との間の輪郭線（ＣＬ３）を示す先端側縁部（Ｅ）の厚さは基端（ＢＥ）から遠くなるほど減少する。従って、フード部１３１の厚さによってフード部１３１とボディ１１０との間に段差が生まれるのを防止できる。
【００５０】
リールシート１００Ｕのボディ１１０が貫通するフード部１３１のボア１３３は第１ボア１３３Ａと第２ボア１３３Ｂを有する。第１ボア１３３Ａは基端（ＢＥ）から先端（ＴＥ）に延びる。また、第２ボア１３３Ｂは第１ボア１３３Ａの直径（Ｄ１）より大きい直径（Ｄ２）を有し、第１ボア１３３Ａから先端（ＴＥ）に延びる。従って、フード部１３１を正面から見るとき、第１ボア１３３Ａと第２ボア１３３Ｂとの間には円弧状の段差１３３Ｃ（図５参照）が形成される。フード部１３１の上側の先端（ＴＥ１）から段差１３３Ｃまでの深さ（Ｌ４）はフード部１３１の上側における長さ（Ｌ１）の３０％〜７０％の範囲である。段差１３３Ｃの深さ（Ｌ４）がフード部１３１の上側における長さ（Ｌ１）の３０％未満になると、フード部１３１の補助フード１５０Ａ，１５０Ｂ（図１１〜図１３参照）を維持する力が低下し、釣竿を振るときに手の平との摩擦によって補助フード１５０Ａ，１５０Ｂが外れる可能性がある。また、段差１３３Ｃの深さ（Ｌ４）がフード部１３１の上側における長さ（Ｌ１）の７０％を超過するようになると、フード部１３１の基端（ＢＥ）部分の厚さが薄くなりナット部１３２と結合する部分の強度が低下し、破損を起こす可能性がある。
【００５１】
フード部１３１の内側が２つのボアからなりその間に段差１３３Ｃが形成されることによって、フード部１３１は後述する補助フードを容易に収容することができる。また、フード部１３１が段差１３３Ｃを境界としてより大きい直径を有する第２ボア１３３Ｂを有するので、ボディの可動フードが設けられる所に段差があるリールシートにも実施例の可動フード１３０が上記段差を覆う形で装着することができる。
【００５２】
前述したフード部１３１において、その全長はフード部１３１上側における長さ（Ｌ１）で定義できる。また、フード部１３１の全高はフード部１３１上側における頂点（ＴＰ）とカバー部１３８の最下側までの長さで定義することができる。フード部１３１が重量が増加しないながらもリール３００の取付脚を固定するのに十分な強度を有し前述した輪郭線（ＣＬ１，ＣＬ２，ＣＬ３）が現れるように、フード部１３１の全長は第１ボア１３３Ａの直径（Ｄ１）の２／３〜５／２の範囲で定められることができ、フード部１３１の全高は第１ボア１３３Ａの直径（Ｄ１）の２．５倍まで定められることができる
【００５３】
図８は実施例による可動フード１３０がダウンロックタイプのリールシートに結合したところを示す。ダウンロックタイプのリールシート１００Ｄでは可動フード１３０がリールシート１００Ｄの前端に位置するようになり、可動フード１３０によってリール３００の前方取付脚３１１が固定され固定フード１２０によってリール３００の後方取付脚３１２が固定される。ダウンロックタイプのリールシート１００Ｄは可動フード１３０の位置と雄ネジ１１３の位置がアップロックタイプのリールシート１００Ｕと反対になっていることを除いては、アップロックタイプのリールシート１００Ｕと類似の構成を有する。
【００５４】
図９及び図１０を参照して、実施例の可動フード１３０を備えるリールシート１００Ｕ，１００Ｄが提供するグリップ感を説明する。
【００５５】
図９はアップロックタイプのリールシート１００Ｕを用いる例を示し、図１０はダウンロックタイプのリールシート１００Ｄを用いる例を示す。使用者がリールシート１００Ｕ，１００Ｄを握るとき、使用者は中指（Ｈ３）と薬指（Ｈ４）の間にリールの取付脚３１０を挟んでリールシート１００Ｕ，１００Ｄを握る場合が多い。この実施例においては、中指（Ｈ３）ではリールシート１００Ｕ，１００Ｄを軽く握り、薬指（Ｈ４）と小指（Ｈ５）ではリールシート１００Ｕ，１００Ｄを握る。また、親指（Ｈ１）はボディ１１０の上面を押さえるか（図９参照）可動フード１３０のフード部１３１の上面を押さえるようになり（図１０参照）、手の平（Ｈ６）はフード部１３１の上に位置するか（図９参照）ボディ１１０の上面に接触する（図１０参照）。
【００５６】
図９に示すアップロックタイプのリールシート１００Ｕの使用例では、可動フード１３０のフード部１３１の上面に手の平（Ｈ６）が接触し、フード部１３１の下面に小指（Ｈ５）が接触する。また、フード部１３１の先端（ＴＥ）に薬指（Ｈ４）が位置する。フード部１３１の上側の上方に凸な曲面が手の平（Ｈ６）と接触するので、フード部１３１と手の平（Ｈ６）との間の間隙がなくなる。従って、使用者はリールシート１００Ｕを強く握ることができる。また、フード部１３１の先端（ＴＥ）のナット部１３２側に凹な輪郭線（ＣＬ３）に沿って薬指（Ｈ４）がリールの取付脚３１０とフード部１３１の先端（ＴＥ）との間に置かれるようになるので、薬指（Ｈ４）が固定され釣竿２００を強く振るう場合にもリールシート１００Ｕが使用者の手内で動かないようにできる。また、フード部１３１の下側の上方に凹な輪郭線（ＣＬ２）に小指（Ｈ５）が掛かるので、使用者は安定かつ向上したグリップ感でリールシート１００Ｕを握ることができる。
【００５７】
図１０に示すダウンロックタイプのリールシート１００Ｄの使用例では、フード部１３１の上方に凸な曲線の輪郭線（ＣＬ１）に親指（Ｈ１）が接触し、フード部１３１の下側の上方に凹な曲線の輪郭線（ＣＬ２）に人差し指（Ｈ２）が接触する。また、フード部１３１のナット部１３２側に凹な輪郭線（ＣＬ３）に沿って、中指（Ｈ３）が位置する。親指（Ｈ１）がフード部１３１の上側の凸な曲面と接触するので、使用者は親指（Ｈ１）で押す力を強くでき、従って、釣竿２００を強く振り下ろすことができる。また、フード部１３１の下側の上方に凹な輪郭線（ＣＬ２）に人差し指（Ｈ２）が掛かるので、使用者は安定かつ向上したグリップ感でリールシート１００Ｄを握ることができて、釣竿２００を強く振り上げることができる。また、フード部１３１の先端（ＴＥ）のナット部１３２側に凹な輪郭線（ＣＬ３）に沿って中指（Ｈ３）が置かれるようになるので、中指（Ｈ３）が固定され釣竿２００を強く振るう場合にもリールシート１００Ｕが使用者の手で動かないようにできる。このように、実施例の可動フード１３０はアップロックタイプのリールシート１００Ｕとダウンロックタイプのリールシート１００Ｄにすべて適用され、使用者の手に加える違和感を減らすと共にグリップ感およびホールド感を向上させる。
【００５８】
図１１〜図１３は可動フードに嵌められる補助フードを示す。
【００５９】
使用者の多様な手の形状、多様な指の位置などを補助してグリップ感をより一層向上させるために、実施例の可動フード１３０はフード部１３１とリールシートのボディ１１０との間に介在する補助フード１５０Ａ，１５０Ｂを備える。補助フード１５０Ａ，１５０Ｂによって、使用者はリールシート１００Ｕ，１００Ｄを握るとき指をリールシートのボディ１１０に誘導することができる。
【００６０】
図１１〜図１３を参照すると、補助フード１５０Ａ，１５０Ｂはボディ１１０の周りを覆うようにリング状を有し、この場合、補助フード１５０Ａ，１５０Ｂの内径はボディ１１０とリールの前方取付脚３１１または後方取付脚３１２をその中に収容することができる大きさを有する。補助フード１５０Ａ，１５０Ｂはボディ１１０を部分的に覆うようにＣ字状の横断面形状を有してもよい。補助フード１５０Ａ，１５０Ｂは使用者が摩擦感やクッション感を感じることのできる材料で形成される。例えば、補助フード１５０Ａ，１５０Ｂはボディ１１０に密着することができるように弾力性に優れたゴム材料で形成されもよい。また、補助フード１５０Ａ，１５０Ｂは独特のグリップ感を提供するように表面がエンボシング処理されてもよい。
【００６１】
補助フード１５０Ａ，１５０Ｂはその一部がリールシート１００Ｕ，１００Ｄのボディ１１０の外周面と可動フード１３０のフード部１３１の内周面との間に嵌められる。即ち、補助フード１５０Ａ，１５０Ｂはフード部１３１の第２ボア１３３Ｂとリールシートのボディ１１０の外周面との間に嵌められる挿入部１５１を有する。補助フード１５０Ａ，１５０Ｂの挿入部１５１もリング状からなり、補助フード１５０Ａ，１５０Ｂをフード部１３１に嵌めるとき、その先端でフード部１３１の段差１３３Ｃと接触する。補助フード１５０Ａ，１５０Ｂをフード部１３１に挿入するとき、フード部１３１の段差１１３Ｃは挿入部１５１に対するストッパーとして機能するようになり、補助フード１５０Ａ，１５０Ｂは一定の位置でフード部１３１とボディ１１０との間に固定できる。また、図１１に示すように、補助フード１５０Ａは側方に開口または凹部１５２を有してもよい。開口または凹部１５２には、例えば使用者の中指（Ｈ３）の端の部分が位置することができるので、グリップ力を向上させることができる。
【００６２】
補助フード１５０Ａ，１５０Ｂが可動フード１３０のフード部１３１とリールシート１００Ｕ，１００Ｄのボディ１１０との間に介在するので、ボディが可動フード側に上記段差または間隙を有するリールシート（フード部１３１の内径に比べてボディの外径が小さい場合）に補助フード１５０Ａ，１５０Ｂを適用すれば、このような段差または間隙を埋めることができる。さらに、補助フード１５０Ａ，１５０Ｂの輪郭線を通じて使用者の指を誘導できるので、使用者は自身の手の大きさや握力に合せてグリップスタイルを適宜変えることができ良好なグリップ感でリールシート１００Ｕ，１００Ｄを握ることができる。このように、可動フード１３０に補助フード１５０，１５０Ａを結合させることによって、使用者は可動フード１３０が採用されるリールシートに対する選択の幅を広げることができる。また、メーカーは補助フード１５０Ａ，１５０Ｂを通じて自社だけの独自の可動フードとリールシートを実現することができる。
【００６３】
以上で説明した本発明は前述した実施例及び添付の図面により限定されるわけではなく、発明の技術的思想を逸脱しない範囲内で様々な置換、変形及び変更が可能であるということが本発明の属する技術分野で通常の知識を有する者にとって明白である。
【符号の説明】
【００６４】
１００Ｕ，１００Ｄ  リールシート、１１０  ボディ、１１１  ボア、１１２  安着部、１１３  雄ネジ、１１４  ガイド溝、１２０  固定フード、１２１  前方挿入空洞、１２２  カバー部、１３０  可動フード、１３１  フード部、１３２  ナット部、１３３  ボア、１３３Ａ  第１ボア、１３３Ｂ  第２ボア、１３３Ｃ  段差、１３４  雌ネジ、１３５  係止溝、１３６  係止突起、１３７  ガイド突起、１３８  カバー部、１３９  後方挿入空洞、１５０  補助フード、１５１  挿入部、１５２  開口、２００  釣竿、３００  リール、３１０  リールの取付脚、ＢＥ  フード部の基端、ＴＥ  フード部の先端、ＣＬ１：上側輪郭線、ＣＬ２  下側輪郭線、ＣＬ３  先端側輪郭線。
【図１】
0005940739.tif 000002
【図２】
0005940739.tif 000003
【図３】
0005940739.tif 000004
【図４】
0005940739.tif 000005
【図５】
0005940739.tif 000006
【図６】
0005940739.tif 000007
【図７】
0005940739.tif 000008
【図８】
0005940739.tif 000009
【図９】
0005940739.tif 000010
【図１０】
0005940739.tif 000011
【図１１】
0005940739.tif 000012
【図１２】
0005940739.tif 000013
【図１３】
0005940739.tif 000014